(57)【特許請求の範囲】
【請求項１】
魚釣りに用いる釣竿であって、
竿体と、
リールを脱着自在に装着可能な前記竿体に固定されたリールシートと、
前記リールシートの左右何れかの側面に装着されるアームとを備え、
前記アームは、前記リールシートの側面との間に一定の距離を設けつつ前記竿体の軸方向に伸びる細長部材であり、軸方向両端または何れか一端において前記リールシートに固定され、
前記アームは金属または合成樹脂からなり、前記竿体側の面に弾性部材が貼り付けられている、釣竿。
【請求項２】
前記アームは前記リールシートに脱着自在に固定されている、請求項１に記載の釣竿。
【発明の詳細な説明】
【０００１】
【発明の属する技術分野】
本発明は魚釣りに用いる釣竿に関する。
【０００２】
【従来の技術】
従来の釣竿は、竿体と、竿体の竿元側端部に固定されたグリップと、グリップの穂先側に形成されリールを固定可能なリールシートと、竿体上に所定の間隔を隔てて設けられた複数の糸通しガイドとを有している。この釣竿のリールシートは、竿体の所定位置の外周に合致するように形成されたパイプ状の部材を竿体に固定してリールシートとしたものや、竿体の所定位置の外周にプリプレグによって肉盛りを形成し、この肉盛りによってリールシートを形成したものがある。
【０００３】
この種の釣竿では、リールの脚部をリールシートに取り付けて固定し、リールからの釣糸を糸通しガイドに順次挿通して穂先側に導く。そして、釣人は、グリップとリールシート乃至ここに取り付けたリールとを把持しながら、キャスティング，リトリーブ等の操作を行う。
【０００４】
【発明が解決しようとする課題】
上述のように、リールシート付近は釣人が釣りをする際にリールと共に把持して釣り操作を行う部分であり、把持し易く力を入れやすいように工夫を施すのが好ましい。このため、リールシート付近の径を大きくして握り易くしたり、トリガーと呼ばれる指を引っかける為の突起を設ける等の工夫が施されてきた。
【０００５】
しかし、これらの工夫でも十分なものではない。また、釣人の利き腕によっては、リールシート付近を右手で把持する者も左手で把持する者もあり、このような左右それぞれの利き腕者に十分対応できるものはなかった。
【０００６】
本発明の課題は、リールシート付近を把持しやすく釣り操作が円滑に行い得る釣竿を提供することにある。
【０００７】
【課題を解決するための手段】
発明１に係る釣竿は、魚釣りに用いる釣竿であって、竿体と、リールを脱着自在に装着可能な前記竿体に固定されたリールシートと、リールシートの左右何れかの側面に装着されるアームとを備えている。そして、アームは、リールシートの側面との間に一定の距離を設けつつ竿体の軸方向に伸びる細長部材であり、軸方向両端または何れか一端においてリールシートに固定されている。
また、アームは金属または合成樹脂からなり、竿体側の面に弾性部材が貼り付けられている。
【０００８】
この釣竿は、釣人がリールシートの左右何れかの側面にアームを装着した上で用いられる。このようにアームをリールシートの左右何れかに装着した後に、釣人は、アームとリールシートとの隙間に指を挿入しながらリールシート及びリールを把持する。このアームがリールシート付近を把持する手をその外側からもサポートするので、釣人はリールシート付近を把持しやすくなり、釣り操作も容易になる。
【０００９】
また、釣人は自らの利き腕に合わせてリールシートの左右側面の何れにもアームを取り付けられるので、利き腕に合致した状態でリールシート付近を円滑に把持できる。
さらに、リールシート付近を把持する際に釣人の指が当たるアームの竿体側の面に弾性部材が貼り付けられており、指が当たっても痛くない。
【００１０】
発明２に係る釣竿は、発明１の釣竿であって、アームはリールシートに脱着自在に固定されている。
この場合には、釣人がリールシートの左右何れかの側面にアームを固定して用いる。必要な側面にアームを取り付けて釣りを行うことが可能であり、不要な場合には取り外してしまうことも可能である。
【００１２】
【発明の実施の形態】
［第１実施形態］
以下、本発明の第１実施形態について図面を参照しつつ説明する。
【００１３】
本発明の第１実施実施形態を採用した釣竿は、筒状の元竿１と、元竿１の穂先側に元竿１内に順次収納可能に連結された穂先竿２，中竿３，穂先竿４とを有している。各竿体は炭素繊維等の強化樹脂に合成樹脂を含浸させたプリプレグ素材からなる先細り筒状部材であり、それぞれいわゆる振出形式で連結されている。
【００１４】
元竿１は、リールを装着するために竿体周面に配置され固定されたリールシート５と、リールシート５の穂先側に設けられた釣糸導入口６と、釣糸導入口６付近に配置された釣糸導入ガイド７とを有している。そして、リールシート５の左右何れかの側面にはアーム１０が脱着自在に装着されている。また、穂先竿４の穂先側端部にはトップガイド８が設けられている。そして、リールからの釣糸は釣糸導入ガイド７を経て釣糸導入口６から竿体内へ導入され、順次穂先側に至りトップガイド８から外部に導出される。
【００１５】
図２に示すように、リールシート５は、合成樹脂等からなる略筒状の本体部２１と、本体部２１上面に設けられ軸方向に伸びるレール部２２と、レール部２２の穂先側に本体部１１と一体で形成され竿元側に向かって開口する固定フード２３と、レール部２２上をレール部２２に沿って軸方向に移動可能であり固定フード２３に対向して穂先側に向かって開口する可動フード２４と、可動フード２４の竿元側に隣接して設けられ可動フード２４の位置決めを行うロック機構２５とを有している。
【００１６】
この本体部２１及び固定フード部２３は合成樹脂等によって一体的に形成された略筒状部材であり、元竿１の周面の所定位置に配置され接着剤等によって固定されている。また、この本体部２１の左右両側面の軸方向両端にはそれぞれネジ穴が形成されている。本体部２１の上面は平坦化されており、ここに左右側面にレール溝を有するレール部２２が固定されている。そして、レール部２２の竿元側部分には複数の係止溝２２ａが形成されている。
【００１７】
固定フード２３及び可動フード２４はそれぞれ内部にリールの脚部が挿入可能な部分であり、可動フード２４はレール部２２のレール溝に係止されこれに沿って軸方向に滑動自在である。
【００１８】
ロック機構２５は可動フード２４に隣接して設けられ可動フード２４と共に軸方向に滑動自在な部材である。例えば、ロック機構２５は可動フード２４との連結部分に回動軸を有し起立状態と倒伏状態とをとり得るものであり、倒伏状態で係止溝２２ａにその一部が係止され、可動フード２４を所定の位置に固定可能となっている。
【００１９】
このリールシート５には、リール１００の脚部の一端を固定フード２３に挿入した状態でリール１００の脚部をレール部２２上に載置し、可動フード２４でリール１００の他端を覆い、固定フード２３と可動フード２４とで挟み込むようにし、ロック機構２５で可動フード２４を固定して、リール１００が装着される。
【００２０】
一方、アーム１０は、ステンレスやスチール等の金属や硬質の合成樹脂から構成されており、リールシート５の本体部２１の側面との間に一定の距離を設けつつ元竿１の軸方向に伸びる細長部材である。その軸方向両端においてリールシート５に近接するように屈曲している。そして、その軸方向両端にはビス穴が貫通している。このアーム１０はリールシート５の形状や大きさにも依存するものであるが、およそ軸方向長さが１００〜１５０mm程度伸びており、リールシート５の本体部２１との隙間は２０〜３０mm程度とその間に指を挿入可能な程度の間隔が必要である。
【００２１】
このように構成された釣竿は、釣人がリールシート５の左右何れかの側面にアーム１０を装着した上で用いられる。具体的には、アーム１０の軸方向両端のビス穴にねじ５０を挿通させ本体部２１のねじ穴に螺合させて、アーム１０の本体部２１に装着する。図３に示すように、このようにアーム１０をリールシート５の左右何れかに装着した後に、釣人はアーム１０とリールシート５の本体部２１との隙間に指を挿入しながらリールシート５及びリール１００を把持する。このアーム１０がリールシート５付近を把持する手をその外側からもサポートするので、釣人はリールシート５付近を把持しやすくなり、釣り操作も容易になる。
【００２２】
また、釣人は自らの利き腕に合わせてリールシート５の左右側面の何れにもアーム１０を取り付けられるので、利き腕に合致した状態で把持できる。
［第２実施形態］以下、本発明の第２実施形態について、図面を参照しつつ説明する。
【００２３】
図４に示すように、この釣竿のリールシート３０の本体部３１は、第１実施形態と同様の合成樹脂等からなる略筒状部材であり、元竿１の周面の所定位置に配置され接着剤等によって固定されている。また、この本体部２１の左右両側面の竿元側端部にはそれぞれ複数のネジ穴が形成されている。
【００２４】
アーム４０は、ステンレスやスチール等の金属や硬質の合成樹脂から構成されており、リールシート３０の本体部３１の側面との間に一定の距離を設けつつ元竿１の軸方向に伸びる細長部材である。その竿元側端部においてリールシート５に近接するように屈曲し、穂先側はそのまま本体部３１との間隔を有したままの形状となっている。そして、竿元側端部において軸方向に間隔を隔ててビス穴が貫通している。
【００２５】
また、図５に示すように、アーム４０の内周面（本体部３１側の面）には、軸方向に伸びる弾性部材４１が貼り付けられている。この弾性部材４１は、例えば、天然ゴムやポリウレタン等の合成ゴム，コルク材等からなり、一定の厚みを有している。
【００２６】
その他の構成は第１実施形態と同様であり、説明を省略する。
このように構成された釣竿は、釣人がリールシート３０の左右何れかの側面にアーム４０を装着した上で用いられる。具体的には、アーム４０の竿元側端部のビス穴にねじ５０を挿通させ本体部３１のねじ穴に螺合させて、アーム４０の本体部３１に装着する。このようにアーム４０をリールシート３０の左右何れかに装着した後に、釣人は、アーム４０とリールシート３０の本体部３１との隙間に指を挿入しながらリールシート３０及びリールを把持する。
【００２７】
このような釣竿では、アーム４０の穂先側が開いており指をアーム４０と本体部３１との間に入れやすく、また、複数のねじで強固に固定されており、リールシート３０付近を把持しやすい。また、アーム４０の内周面には弾性部材が貼りつけられており、指が当たっても痛くない。
【００２８】
［他の実施形態］
（ａ）アームをリールシートの本体部に装着する方法は、上記実施形態のようなねじ止めに限定されるものではない。例えば、リールシート本体部に係止孔を儲け、ここに挿入して係止可能な係止部をアームに設けてもよい。
（ｂ）また、アームは脱着自在とせずにリールシートに固定されたものとしてもよい。
【００２９】
【発明の効果】
本発明に係る釣竿では、リールシート付近を把持しやすく釣り操作を容易に行うことが可能である。
【図面の簡単な説明】
【図１】本発明の第１実施形態を採用した釣竿の全体図。
【図２】図１のリールシート付近の拡大図。
【図３】図２のリールシートを把持する状態を示した図。
【図４】本発明の第２実施形態を採用したリールシート付近を示した図。
【図５】図４のアームを示した図。
【符号の説明】
１  元竿
５，３０  リールシート
２１，３１  本体部
１０，４０  アーム
５０  ねじ
【図１】
0004539941.tif 000002
【図２】
0004539941.tif 000003
【図３】
0004539941.tif 000004
【図４】
0004539941.tif 000005
【図５】
0004539941.tif 000006